(57)【要約】      （修正有）【課題】広告物製作者は、広告媒体のアクセスポイントを自由に設けることができ、パネルから広告物を差し替える作業者は、広告媒体のアクセスポイントを目視で確認をおこない、アクセスポイントに合わせて簡単にリーダライタを可動調整することにより良好な通信状態が確保できる。広告物利用者は、通常の広告物（照明なし広告）により照明効果がある広告物を発見し、なおＲＦＩＤタグ内蔵の携帯型情報端末等を利用して、非接触で簡単にデジタルコンテンツを活用してのサービスの利用など多くの効果がある。【解決手段】ライトパネルの照明部（エッジライト方式の導光板およびＥＬシートを利用した照明部）とパネル底板と照明部間に任意の隙間を設け、この隙間にリーダライタおよびアンテナ部をＸ軸方向およびＹ軸方向へ可動できる可動装置を具備し、広告物を差し替え時、広告物にアクセスポイントの変更あればリーダライタおよびアンテナ部をＸ軸方向およびＹ軸方向へ可動して良好な通信状態を確保する。【選択図】図−１
0003141416.tif 000002
【実用新案登録請求の範囲】
【請求項１】
照明部を設けたパネル内部に、ＲＦＩＤタグ内蔵の携帯型情報端末等との情報の読み出しまたは書き込みを行うリーダライタを具備し、前記リーダライタおよびアンテナ部が前記パネル内で任意操作により可動し所定の位置で固定できる構造を特徴とするライトパネル。
【請求項２】
前記照明部を設けたパネルは平面であり、同一の平面の複数の異なる箇所に前記リーダライタおよびアンテナ部を具備し、各々の前記リーダライタおよびアンテナ部が前記パネル内で任意操作により可動し所定の位置で固定できる構造を特徴する請求項１記載のライトパネル。
【考案の詳細な説明】
【技術分野】
【０００１】  本考案は、広告媒体から視覚的な情報取得と、広告媒体に連動したデジタルコンテンツからの情報取得において、広告媒体制作毎に異なる位置に付けられたデジタルコンテンツ情報の読み出しまたは書き込み目印（ＲＦＩＤタグ内蔵の携帯型情報端末等と、非接触でリーダライタとの間で通信ができる通信目印）と、広告媒体変更時、常に、相対位置になるようパネル内のリーダライタおよびアンテナ部を上下左右に可動し所定の位置で固定できるライトパネル。特に、照明部をＬＥＤ、冷陰極管またはＥＬを設けたライトパネルの構造に関する。
【背景技術】
【０００２】  従来は、広告物には、広告内容に関する情報を提供しているウェブサイトのＵＲＬやＵＲＬなどを情報として保持する２次元コードが印刷されている。しかしながら、ＵＲＬは一般的に小さな文字で記載されているために無視されがちであり、また、広告媒体に記載されたＵＲＬを覚えたり書き写したりしておき、後でパソコン等に入力してアクセスするか、或いはその場で携帯型情報端末に入力してアクセスしなければならず、その面倒臭さの故に利用されていないのが実状である、また２次元コードはバーコード読み取り機能付き携帯型情報端末のアプリケーションを起動して２次元コードを読み取らなくてはならず面倒である。【０００３】  これに対し、近年は広告物、特に、ポスター背面にリーダライタを設け、携帯型情報端末に内蔵されたＲＦＩＤタグ利用の情報の読み出しまたは書き込みを非接触でおこなうことができる電波ポスター（特許文献１）をはじめ、ユビキタスポスター、インタラクティブポスター、ＦｅｌｉＣａポスター（特許文献２）などが発表されている。またパネルにもＬＥＤ（Ｌｉｇｈｔ  Ｅｍｉｔｔｉｎｇ  Ｄｉｏｄｅ）またはＥＬ（エレクトロルミネセンス）光源とする照明付き広告パネルが市販されているが、前記広告物上のアクセスポイント（ＲＦＩＤタグ内蔵の携帯型情報端末等と、非接触でリーダライタとの間で通信ができる通信できる状態）は固定で、広告物上のアクセスポイントが制作変更されると非通信状態になっていた。
【特許文献１】特許公開２００２−１８５５６５号
【特許文献２】特許公開２００６−３１５３１号
【考案の開示】
【考案が解決しようとする課題】
【０００４】  背景技術に示すように、リーダライタ利用のポスター等広告物への使用に関しては、いくつもの記載があるが、リーダライタを可動して固定できるリーダライタつき広告パネルについては、詳細な記述がない。【０００５】  ＲＦＩＤタグを内蔵した携帯型情報端末およびカードを利用し、広告物上に任意のアクセスポイント設け、携帯型情報端末等を軽くアクセスして広告物背面に取り付けられたリーダライタと、ＲＦＩＤタグ間で情報の読み出しまたは書き込みを非接触で通信をおこない、携帯型情報端末等がリーダライタからＩＤ（ＵＲＬ）を受け取り、該ＩＤを基に所定のデジタルコンテンツへ接続し情報の読み出しまたは書き込みをスムースにおこなうには、携帯型情報端末等に内蔵されたＲＦＩＤタグと、広告物上に設けられた携帯型情報端末等をアクセスするアクセスポイントと、広告物背面に取り付けられたリーダライタの位置が一致していないとスムースに通信できない、これは広告物背面に取り付けられたリーダライタの位置が広告物背面に取り付けられるため、広告物表面から目視できず広告物上に設けられたアクセスポイントが唯一の目印で、この目印の背面にリーダライタおよびリーダライタのアンテナ部が正確に取り付けられることが条件となる。【０００６】  しかし、広告物を制作する上でアクセスさせ情報を取得させたい位置は一定でなく、例えば、よく駅で見かけける地図等を利用した地域案内ポスターにおいて、地図上に記された動物園等の情報を取得させたい場合、この地図上で動物園の位置がおのずと固定される。ここでは動物園が広告物上のアクセスポイントとなり、ＲＦＩＤタグを内蔵した携帯型情報端末等からのアクセス位置でもある。しいては、このアクセスポイントの背面には必ずリーダライタがつけられていることが条件となる。【０００７】  しかしながら、ポスターを別のコンサートホールを案内する広告物へ差し替えた場合、おのずとポスターのデザインも変更されアクセスポイントも変更される。前回の動物園を案内する広告物上のアクセスポイントが上部に設けられ、動物園を案内する広告物のアクセスポイントと相対位置にリーダライタおよびリーダライタのアンテナ部を固定したが、今回のコンサートホールを案内するアクセスポイントは下部にあると以前上部に固定したリーダライタおよびリーダライタのアンテナ部を下部へと移動しないと、広告物上のコンサートホールをアクセスポイントに定めてもＲＦＩＤタグとリーダライタおよびリーダライタのアンテナ部が一致せず非通信状態となる、これは元来の広告物上からの情報取得と、携帯型情報端末等から所定のデジタルコンテンツ情報の読み出しまたは書き込みを非接触おこなうなどの目的を大きく損なう。【０００８】  さらに、広告パネルは通常壁面に固定され、特に、エッジライト方式の導光板およびＥＬシートを利用した照明部を有する広告パネルでは、該照明部もパネル枠と共に壁面に固定されている。リーダライタのアンテナ部は広告物へおよぼす影響（リーダライおよびリーダライタのアンテナ部等の筐体が照明の一部を遮り影となり広告物へおよぼす影響など）を考慮して、照明部背面に取り付けられる。しかるに、リーダライタのアンテナ部を移動しようとすれば広��パネルを壁面から取り外し、広告物上のアクセスポイントとリーダライおよびリーダライタのアンテナ部と相対位置になるように可動し固定の上、再度壁面取り付け作業をおこなうなど非常に困難であり、広告物が差し替えられる都度この作業を繰り返すのである。これはなおさず広告パネルの劣化を招き、また人件費等の経費増加、および作業ミスによる非通信状態など多くの問題がある。
【課題を解決するための手段】
【０００９】  ライトパネルの照明部（エッジライト方式の導光板およびＥＬシートを利用した照明部）とパネル底板と照明部間に任意の隙間を設け、この隙間にリーダライタおよびアンテナ部をＸ軸方向およびＹ軸方向へ可動できる可動装置を具備し、広告物を差し替え時、広告物にアクセスポイントの変更あればリーダライタおよびアンテナ部をＸ軸方向およびＹ軸方向へ可動して良好な通信状態を確保し、また広告物制作上でアクセスポイントを自由に設けることができるなど、デザイン制約の解消が図られる。
【考案の効果】
【０００１０】  本考案によれば、広告物製作者は、広告媒体のアクセスポントを自由に設けることができ、パネルから広告物を差し替える作業者は広告媒体のアクセスポントを目視で確認をおこない、アクセスポントに合わせて簡単にリーダライタを可動調整することにより良好な通信状態が確保できる。広告物利用者は、通常の広告物（照明なし広告）より照明効果ある広告物を発見し、なおＲＦＩＤタグ内蔵の携帯型情報端末等を利用して、非接触で簡単にデジタルコンテンツを活用してのサービスを利用など多くの効果がある。
【考案を実施するための最良の形態】
【０００１１】以下、本考案の実施例の形態を添付図を参照して説明する。
【実施例１】
【０００１２】  図−１は、ライトパネル内部の相関斜視図である。通常７のパネル底板が壁面に固定され、Ａ−Ａの可動部支持パネルに３のＸ軸可動板と４のＹ軸可動板がガイドを持って装着されている。３のＸ軸可動板と４のＹ軸可動板に２のアンテナ部を取り付け３のＸ軸可動板をＢおよびＢ−１方向へ可動させるとアンテナ部２が左右に移動できる。また、４のＹ軸可動板をＣおよびＣ−１方向へ可動すればアンテナ部２が上下に移動する。このアンテナ部２はリード線５からリーダライタ６の制御部へ接続されている。【０００１３】  任意の広告物１上にアクセスポイントＡ（８のＲＦＩＤタグ内蔵の携帯型情報端末等と、非接触で６のリーダライタとの間で通信ができる通信目印）が設けられ、このアクセスポイントＡとアンテナ部２を相対的に一致させることにより、アクセスポイントから８のＲＦＩＤタグ内蔵の携帯型情報端末等を利用し非接触でアンテナ部２を通じて、リーダライタ６間で通信がおこなわれ所定のデジタルコンテンツへアクセスしサービスを利用できるのである。【０００１４】  アンテナ部とリーダライタ６とが一体型の場合、アンテナ部２の位置に取り付けてもよい。また、３のＸ軸可動板と４のＹ軸可動板を１０の導光板９−２の背面にある反射板背面に取り付けてもよいが、この場合３のＸ軸可動板と４のＹ軸可動板およびアンテナ部２が重なるので、パネルの厚みに配慮する必要がある。またアンテナ部２は必ず反射板１０に一番近い位置になるよう配置することが肝要である。【０００１５】  ３のＸ軸可動板と４のＹ軸可動板の素材に関しては、樹脂素材が好ましくリーダライタの出す電波のフェージングによる干渉（リーダライタから送信された電波が直接ＲＦＩＤタグへ到達する信号と、リーダライタから送信された電波がパネル枠内の隙間周辺で反射されＲＦＩＤタグへ到達する信号が、お互いに影響し合う）を考慮して板材でなく伸縮がないナイロン製で糸状およびネジ状の素材を用いてもよい。【０００１６】  図−１では、ＬＥＤ（Ｌｉｇｈｔ  Ｅｍｉｔｔｉｎｇ  Ｄｉｏｄｅ）エッジライト９−２方式で導光板９−２へ光源９−１から照射させ導光板９−２で光を拡散し均一光で広告物１にバックライト照射しているが、ＥＬ（エレクトロルミネセンス）シートなどを照明部としてもよい。【０００１７】  図−２は、ライトパネル正面略図である。７−１のパネル枠が壁面に固定され、広告物１が差し替えられ、広告物のアクセスポイントがアンテナ支持部２−２上にある。広告物のアクセスポイントが左下部にデザイン変更された場合、３のＸ軸可動板を左へ４のＹ軸可動板を下へ可動し、Ｘ軸可動板を左へ４のＹ軸可動板のクロスする位置にアンテナ部２を移動させる。アンテナ部固定に関しては、各可動板をねじ止め等で固定してもよい。【０００１７】    同一の平面の複数の異なる箇所にリーダライタおよびアンテナ部を具備する場合は、Ｘ軸可動板とＹ軸可動板を複数も設けて夫々のリーダライタおよびアンテナ部を設けるとよい。複数個設ける場合、板状では面積があるので板材でなく伸縮がないナイロン製で糸状およびネジ状の素材を用いてもよい。
【図面の簡単な説明】
【０００１８】
【図−１】  ライトパネル内部の相関斜視図である。
【図−２】  ライトパネル正面略図である。
【符号の説明】
【０００２２】［図−１］
１．広告媒体、１−１．広告物のアクセスポイント、２．アンテナ部、２−１アンテナ部固定版、３．Ｘ軸可動板、３−１．Ｘ軸側アンテナ部可動ガイド、４．Ｙ軸可動板、４−１．Ｙ軸側アンテナ部可動ガイド、５アンテナ部とリーダライタをつなぐリード線、６．リーダライタ、７．パネル底板、８．ＲＦＩＤタグ内蔵の携帯情報端末、９．ＬＥＤエッジライトユニット、９−１．ＬＥＤ光源、９−２．導光板、１０．反射板、
［図−２］
１．広告媒体、２．アンテナ部、２−２アンテナ支持部、３．Ｘ軸可動板、４．Ｙ軸可動板、６．リーダライタ、７−１．パネル枠、
【図−１】
0003141416.tif 000003
【図−２】
0003141416.tif 000004
【手続補正書】
【提出日】平成20年1月26日(2008.1.26)
【手続補正１】
【補正対象書類名】実用新案登録請求の範囲
【補正対象項目名】全文
【補正方法】変更
【補正の内容】
【実用新案登録請求の範囲】
【請求項１】
照明部を設けたパネル内部に、ＲＦＩＤタグ内蔵の携帯型情報端末等との情報の読み出しまたは書き込みを行うリーダライタおよびアンテナ部と、Ｘ軸方向の可動装置とＹ軸方向の可動装置を装備したライトパネル。
【請求項２】
前記ライトパネルに複数のリーダライタおよびアンテナ部、Ｘ軸方向の可動装置とＹ軸方向の可動装置を装備した請求項１記載のライトパネル。